(57)【要約】      （修正有）【課題】吸収層を二部分に分け、外囲の混合吸収層の厚さが比較的大きくなり、尿パッドの表面の全体が凹状構造に形成させることにより、横漏れ状況の発生を有効に防止し、ペット尿液を比較的長い時間で急速吸収層内に保留でき、急速吸収層を充分に吸収し、利用率を向上させる急速吸収の横漏れ止めペット用尿パッドを提供する。【解決手段】急速吸収の横漏れ止めペット用尿パッドは、尿パッド主体が、層状構造とし、不織布被覆層１、被覆層下側の吸収層及び吸収層下側のＰＥ膜防漏層５を含み、防漏層と吸収層との間には更に衛生紙吸収層４が設置され、吸収層は、尿パッド主体中央位置にある急速吸収層２及びその急速吸収層の外囲にある混合吸収層３から構成され、尿パッド主体の混合吸収層位置の厚さが急速吸収層位置の厚さよりも大きくなり、尿パッド主体表面は凹状構造を形成する。【選択図】図２
0003199181.tif 000002
【実用新案登録請求の範囲】
【請求項１】
尿パッド主体は、層状構造とし、不織布被覆層、前記被覆層下側の吸収層及び前記吸収層下側のＰＥ膜防漏層を含み、前記防漏層と前記吸収層との間には更に衛生紙吸収層が設置され、前記吸収層は、尿パッド主体中央位置にある急速吸収層及び前記急速吸収層の外囲にある混合吸収層から構成され、前記尿パッド主体の混合吸収層位置の厚さが急速吸収層位置の厚さよりも大きくなり、尿パッド主体表面が凹状構造に形成される急速吸収の横漏れ止めペット用尿パッド。
【請求項２】
前記被覆層上の混合吸収層位置の厚さが急速吸収層位置の厚さよりも大きくなることを特徴とする請求項１に記載の急速吸収の横漏れ止めペット用尿パッド。
【請求項３】
前記混合吸収層の厚さが前記急速吸収層の厚さよりも大きくなることを特徴とする請求項１に記載の急速吸収の横漏れ止めペット用尿パッド。
【請求項４】
前記混合吸収層、前記被覆層及び前記防漏層がそれぞれ衛生紙吸収層の外縁で積層されることを特徴とする請求項１に記載の急速吸収の横漏れ止めペット用尿パッド。
【請求項５】
前記急速吸収層位置にある被覆層には複数の吸収孔が均一に設置されることを特徴とする請求項１に記載の急速吸収の横漏れ止めペット用尿パッド。
【請求項６】
前記混合吸収層位置にある被覆層の上面に圧印層が設置されることを特徴とする請求項１に記載の急速吸収の横漏れ止めペット用尿パッド。
【考案の詳細な説明】
【技術分野】
【０００１】
本考案はペット用尿パッドに関し、特には急速吸収の横漏れ止めペット用尿パッドに関し、ペット用品の技術分野に属する。
【背景技術】
【０００２】
現在、人々の生活水平を向上させることにより、猫、狗等のペットが人々の生活に入り始め、且つ地位がますます高くなり、ペットの衛生への要求もますます高くなる。然し、日常生活中で、ペットの排泄物の処理は大変な面倒になり、所有者が相当な精力で解決する必要がある。環境を保護するために、ペットの栖息場地がより快適になり、ペットの権利保護を満たし、同時にペットを清潔にする煩瑣労働を減少させるために、現在の多くの人々が、ペットの飼養時にペット用尿パッドを使用する。従来のペット用尿パッドは、不織布表面被覆層を含み、前記不織布表面被覆層の下面に、パルプ、ＰＰ繊維及び高吸水分子を混合して作製される吸収層が設置され、吸収層の外側面に、ＰＥ膜底部防漏層が設置される。然し、このようなペット用尿パッドは、使用過程でペット尿液が多い場合には、尿液を吸収できないため、尿パッドの辺縁に浸漏を発生する。
【考案の概要】
【考案が解決しようとする課題】
【０００３】
本考案の目的は急速吸収の横漏れ止めペット用尿パッドを提供することで、従来の技術の前記問題を解決する。
【課題を解決するための手段】
【０００４】
前記技術問題を解決するために、本考案は、以下の技術方案を採用する。
【０００５】
尿パッド主体は、層状の構造とし、不織布被覆層、被覆層下側の吸収層及び吸収層下側のＰＥ膜防漏層を含み、前記防漏層と吸収層との間には更に衛生紙吸収層が設置され、前記吸収層は、尿パッド主体の中央位置にある急速吸収層及びその急速吸収層の外囲にある混合吸収層から構成され、前記尿パッド主体の混合吸収層位置の厚さが急速吸収層位置の厚さよりも大きくなり、尿パッド主体表面が凹状構造に形成される急速吸収の横漏れ止めペット用尿パッドである。
【０００６】
より一層として、前記被覆層上の混合吸収層位置の厚さが急速吸収層位置の厚さよりも大きくなる。
【０００７】
他の代替構造として、前記混合吸収層の厚さが急速吸収層の厚さよりも大きくなる。
【０００８】
前記混合吸収層、前記被覆層及び前記防漏層は、それぞれ衛生紙吸収層の外縁で積層される。
【０００９】
本考案では、前記急速吸収層は、パルプ、ＰＰ繊維及び急速吸収高吸水分子を混合して作製され、前記混合吸収層は、パルプ及びＰＰ繊維を混合して作製される。
【００１０】
前記急速吸収層位置にある被覆層には、より良く吸収できるように均一に複数の吸収孔が設置される。
【００１１】
前記混合吸収層位置にある被覆層の上面には、圧印層が設置される。
【考案の効果】
【００１２】
本考案は、以下の有益な効果を備える。
【００１３】
１、吸収層を二部分に分け、外囲の混合吸収層の厚さが比較的大きくなり、尿パッド表面の全体を凹状構造に形成させることにより、横漏れ状況の発生を有効に防止する。
【００１４】
２、ペット尿液を比較的長い時間で急速吸収層内に保留でき、急速吸収層を充分に吸収し、利用率を向上させる。
【図面の簡単な説明】
【００１５】
【図１】図１は本考案の実施例による構造見取図である。
【図２】図２は図１のＡ-Ａ線を沿う断面の構造見取図である。
【考案を実施するための形態】
【００１６】
前記の図面に吸水作用を奏しない他の部分の構造を省略する。
【００１７】
以下、図面及び具体的な実施例により、本考案の技術的特徴について詳細に説明する。
【００１８】
図１及び図２の示すような急速吸収の横漏れ止めペット用尿パッドは、尿パッド主体が、層状の構造とし、不織布被覆層１、被覆層１下側の吸収層２及びこの吸収層下側のＰＥ膜防漏層５を含み、前記防漏層５と吸収層との間に衛生紙吸収層４が更に設置され、前記吸収層が尿パッド主体中央位置の急速吸収層２及び急速吸収層２の外囲の混合吸収層３により構成され、前記尿パッド主体の混合吸収層３位置の厚さが急速吸収層２位置の厚さよりも大きくなり、尿パッド主体の表面が凹状構造に形成される。
【００１９】
より一層として、前記被覆層１の上にある混合吸収層３位置の厚さが急速吸収層２位置の厚さよりも大きくなる。
【００２０】
他の代替構造として、前記混合吸収層３の厚さが急速吸収層２の厚さよりも大きくなる。
【００２１】
記載された混合吸収層３、被覆層１、防漏層５がそれぞれ衛生紙吸収層４の外縁で積層される。
【００２２】
本考案では、前記急速吸収層２は、パルプ、ＰＰ繊維及び急速吸収高吸水分子を混合して作製され、前記混合吸収層４は、パルプ及びＰＰ繊維を混合して作製される。
【００２３】
前記混合吸収層３の位置にある被覆層の上面に圧印層６が設置される。
【００２４】
より良く吸収するために、前記急速吸収層２の位置にある被覆層１に、複数の吸収孔７が均一に設置される。
【００２５】
本考案が備える有益な効果は以下のことにある。
【００２６】
吸収層を二部分に分け、外囲の混合吸収層の厚さが比較的大きくなり、尿パッド表面の全体を凹状構造に形成させることにより、横漏れ状況の発生を有効に防止できる。
【００２７】
ペット尿液を比較的長い時間で急速吸収層内に保留でき、急速吸収層を充分に吸収し、利用率を向上させる。
【００２８】
ペット尿液は、使用過程で急速吸収層２に急速に吸収できない場合には、比較的高い混合吸収層３により阻止されることにより、ペット尿液が比較的長い時間で急速吸収層２に保留させる。急速吸収層２が高効率に利用され、尿液の吸着効果が良く、ペット尿液の浸漏を有効に防止できる。
【符号の説明】
【００２９】
１…被覆層、２…急速吸収層、３…混合吸収層、４…衛生紙吸収層、５…防漏層、６…圧印層。
【図１】
0003199181.tif 000003
【図２】
0003199181.tif 000004